(57)【特許請求の範囲】
【請求項１】
レシーバ部が外向きに設けられたヘッドセット本体と、前記ヘッドセット本体に着脱自在なイヤハンガーとを備え、前記イヤハンガーは、左右のいずれの耳に装着するかを視認するための装着方向識別標章が外表面に付されており、同ハンガーの表面側には装着方向が右耳又は左耳であることを示す当該標章が、一方、同ハンガーの裏面側には装着方向が左耳又は右耳であることを示す当該標章が各々入れられていることを特徴とするヘッドセット。
【請求項２】
前記レシーバ部の先端側に傘状のイヤパッドが設けられている場合の請求項１記載の
ヘッドセットにおいて、前記レシーバ部は、当該本体に対してやや斜めに傾けて設けられていることを特徴とするヘッドセット。
【請求項３】
請求項１のヘッドセットにおいて、前記装着方向識別標章は、文字、記号、模様又は色彩若しくはこれらの組み合わせにより表示されているヘッドセット。
【請求項４】
請求項１、２又は３のヘッドセットに使用されるイヤハンガーにおいて、前記ヘッドセット本体の前記レシーバ部の根元部位に挟み込んで装着可能な平面視略半環状の把持部と、先端部が前記把持部の外周縁に接続された平面視略Ｕ字状の耳掛けハンガー部とを有し、前記把持部と前記耳掛けハンガー部との間の接続部分が前記装着方向識別標章を表示するための領域とされていることを特徴とするイヤハンガー。
【発明の詳細な説明】
【技術分野】
【０００１】
本発明は、携帯電話、パソコン等のオーディオレシーバとして使用される耳掛けタイプのヘッドセット及びイヤハンガーに関する。
【背景技術】
【０００２】
この種のヘッドセットの中には、イヤホンが外向きに固定されたヘッドセット本体と、ヘッドセット本体に着脱自在なイヤハンガーとを備えたものがある。即ち、イヤハンガーをヘッドセット本体に取り付け、この状態でユーザの耳に引っ掛けることによりユーザの耳に装着可能になっている。イヤハンガーがヘッドセット本体に対して着脱自在になっているのは、イヤハンガーの裏表の取付方向を変えて左右いずれの耳にも安定的に装着可能とするためである（例えば、特許文献１等）。
【先行技術文献】
【特許文献】
【０００３】
【特許文献１】ＣＮ２０１４２６１６８号公報
【発明の開示】
【発明が解決しようとする課題】
【０００４】
しかしながら、上記従来例による場合、イヤハンガーの取付方向を間違い易く、その結果、ヘッドセットをユーザの所望側の耳に速やかに装着することができず、この点で使い勝手が悪いという指摘がある。
【０００５】
本発明は上記の課題に鑑みてなされたものであり、その目的とするところは、使い勝手が良好なヘッドセット及びイヤハンガーを提供する点にある。
【課題を解決するための手段】
【０００６】
本発明に係るヘッドセットは、レシーバ部が外向きに設けられたヘッドセット本体と、前記ヘッドセット本体に着脱自在なイヤハンガーとを備え、前記イヤハンガーは、左右のいずれの耳に装着するかを視認するための装着方向識別標章が外表面に付されており、同ハンガーの表面側には装着方向が右耳又は左耳であることを示す当該標章が、一方、同ハンガーの裏面側には装着方向が左耳又は右耳であることを示す当該標章が各々入れられている。装着方向識別標章については、文字、記号、模様又は色彩若しくはこれらの組み合わせにより表示すると良い。
【０００７】
本発明に係るヘッドセットによる場合、イヤハンガーの表面側には装着方向が右耳又は左耳であることを示す装着方向識別標章が、一方、イヤハンガーの裏面側には装着方向が左耳又は右耳であることを示す装着方向識別標章が各々入れられた構成となっているので、イヤハンガーを用いてヘッドセット本体をユーザの耳に装着するに際し、左右のいずれの耳に装着するのかが一目瞭然に判り、その結果、使い勝手が良好となる。
【０００８】
ヘッドセット本体において、レシーバ部の先端側に傘状のイヤパッドが設けられている場合、レシーバ部が当該本体に対してやや斜めに傾けて設けられた構成とすることが好ましい。
【０００９】
上記構成のヘッドセットによる場合、レシーバ部がヘッドセット本体に対してやや斜めに傾けられた構成となっているので、装着方向識別標章がイヤパッドに隠れるというケースが少なくなり、この点で装着方向識別標章が見易くなるという効果を期待することができる。
【００１０】
上記ヘッドセットに使用される本発明のイヤハンガーについては、ヘッドセット本体のレシーバ部の根元部位に装着可能な平面視略半環状の把持部と、先端部が把持部の外周縁に接続された平面視略Ｕ字状の耳掛けハンガー部とを有し、把持部と耳掛けハンガー部との間の接続部分が装着方向識別標章を表示するための領域とされた構成とすることが好ましい。
【００１１】
本発明に係るイヤハンガーによる場合、把持部と耳掛けハンガー部とが繋がった接続部分の領域に装着方向識別標章が付された構成になっているので、大きな設計変更を要することなく実現可能となり、コスト面でメリットがある。また、当該接続部分については、装着時の変形に伴って大きな応力が作用する部分であることから本来的に頑丈な設計となっており、その関係上、外表面の面積が大きく、これに伴って装着方向識別標章をサイズ的に大きくすることが可能となり、この点で着方向識別標章自体が見易くなるという効果も期待することができる。
【図面の簡単な説明】
【００１２】
【図１】本発明の実施の形態を説明するための図であって、イヤハンガーがヘッドセット本体に取り付けられた状態（装着方向：右耳）を示すヘッドセットの部分拡大正面図である。
【図２】ヘッドセットのヘッドセット本体の側面図である。
【図３】イヤハンガーがヘッドセット本体に装着された状態（装着方向：左耳）を示すヘッドセットの正面図である。
【図４】人体へのヘッドセットの装着状態を説明するための図である。
【図５】ヘッドセットが装着されたときの様子を併せて示すヘッドセットの側面図である。
【図６】ヘッドセットのイヤハンガーの変形例を説明するための図であって、（ａ）はイヤハンガーの正面図、（ｂ）はその裏面図、（ｃ）はその平面図、（ｄ）はその背面図、（ｅ）はその左側面図、（ｆ）はその右側面図である。
【発明を実施するための形態】
【００１３】
以下、本発明に係るヘッドセット及びイヤハンガーの実施形態について図面を参照して説明する。ここに例として挙げるヘッドセットＡは、短距離無線通信（本案例ではｂｌｕｅｔｏｏｔｈ（登録商標））技術を利用して外部装置と無線通信可能に構成されているもので、レシーバ部１１が外向きに取り付けられたヘッドセット本体１０と、ヘッドセット本体１０に着脱自在なイヤハンガー２０とを備えている。特にイヤハンガー２０の外表面の表面側、裏面側には、ヘッドセットＡを左右のいずれの耳に装着するかを視認するための装着方向識別標章α１、α２が付されている。
【００１４】
ヘッドセット本体１０については、電波を受信し当該電波に含まれる音声信号を抽出する等の機能を有した無線通信部１２等を収容する直方体状のケースであって、正面には無線通信部１２から出力された音声信号を音声に変換して再生するレシーバ部１１が設けられている他、上面下面には電源のオンオフや音量調節等を操作するための操作スイッチ１３、１３が各々設けられている。
【００１５】
レシーバ部１１については、図２に示されているようにヘッドセット本体１０の正面に突出して設けられた円筒状のレシーバジョイント１１３と、レシーバジョイント１１３の先端側に装着された傘状のイヤパッド１１１と、レシーバジョイント１１３の周りに回転摺動可能に設けられた略楕円状の係止部１１２とを備え、先端側がヘッドセット本体１０に対してやや斜めに傾けて設けられている。
【００１６】
イヤパッド１１１は、弾性変形可能なエラストマー等の樹脂材料で形成され、外耳道内に挿入されたとき外耳道の内壁に密着する耳栓型（カナル型）である。
【００１７】
係止部１１２は、耳珠及び対珠よりも内側の耳甲介腔の内壁に弾接係止するに適した形状を有し、イヤパッド１１１と同じくエラストマー等の樹脂材料で形成されている。係止部１１２とレシーバジョイント１１３とは互いに相対回転可能であり、その相対回転範囲は設定範囲内に制限されている。
【００１８】
レシーバジョイント１１３は、イヤパッド１１１の中心孔に連通した中空孔を内部に有し、その底部に音声を出力する図外のスピーカ部が設けられている。
【００１９】
イヤハンガー２０については、ヘッドセット本体１０のレシーバ部１1の根元部位（本案例では、レシーバジョイント１１３の外面の一部）に挟み込んで装着可能な平面視略半環状の把持部２１と、先端部が把持部２１の外周縁に接続された平面視略Ｕ字状の耳掛けハンガー部２２とを有し、把持部２１と耳掛けハンガー部２２との間の接続部分２３の外面上の一部が装着方向識別標章α１、α２を表示するための領域２３１、２３２とされている。
【００２０】
領域２３１、２３２については、本案例では大部分がフラット面にされており、その面上に凸状又は凹状の刻印を入れて装着方向識別標章α１、α２が作成されている。具体的には、イヤハンガー２０の正面側に、ヘッドセットＡの装着方向が右耳であることを示す『Ｒ』の文字が装着方向識別標章α１として、同じく裏面側に装着方向が左耳であることを示す『Ｌ』の文字が装着方向識別標章α２として各々刻印されている。
【００２１】
上記した構成のヘッドセットＡによる場合、イヤハンガー２０の外表面に装着方向識別標章α１、α２が付された構成となっているので、イヤハンガー２０を用いてヘッドセット本体１０をユーザの耳に装着するに際し、左右のいずれの耳に装着するのかが一目瞭然に判り、その結果、使い勝手が良好となる。
【００２２】
また、レシーバ部１１がヘッドセット本体１０に対してやや斜めに傾けられているので、装着方向識別標章α１、α２がイヤパッド１１に隠れて見え難いということが少なく、この点で一層判り易くなる。更に、装着方向識別標章α１、α２がイヤハンガー２０の外表面上のうち接続部分２３に付されている。接続部分２３については、装着時の変形に伴って大きな応力が作用する部分であることから本来的に頑丈な設計となっており、その関係上、外表面の面積が大きく、これに伴って装着方向識別標章α１、α２をサイズ的に大きくすることが可能になった。この点でも一層判り易くなる。加えて、従来に比べて大きな設計変更を要することなく実現可能であるので、コスト面でもメリットがある。
【００２３】
イヤハンガー２０の変形例としては、図６に示されているように領域２３１、２３２に、『Ｒ』、『Ｌ』以外の他の文字、記号、模様、色彩又はこれらの組み合わせにより表示された装着方向識別標章を付するようにしてもかまわない。
【００２４】
なお、本発明に係るヘッドセット及びイヤハンガーは、上記実施形態に限定されず、ヘッドセット本体の機能に応じて形状等を適宜設計変更すれば良い。例えば、イヤハンガーをヘッドセット本体のレシーバ部以外の部品に着脱自在に装着する形態であったり、把持部の形状をその形態に合わせたり、耳掛けハンガー部の後端部に丸みを付けるようにしても良い。また、イヤハンガーの外表面上の装着方向識別標章を付する位置についてもヘッドセット本体等に合わせて適宜設計変更しても良い。
【符号の説明】
【００２５】
Ａ  ヘッドセット
１０  ヘッドセット本体
１１  レシーバ部
２０  イヤハンガー  
２１  把持部
２２  耳掛けハンガー部
２３  接続部分
α１、α２  装着方向識別標章  
【図１】
0005889000.tif 000002
【図２】
0005889000.tif 000003
【図３】
0005889000.tif 000004
【図４】
0005889000.tif 000005
【図５】
0005889000.tif 000006
【図６】
0005889000.tif 000007